(57)【要約】【課題】衣服の生地が厚い場合でもボタン本体をボタン穴に通して掛止しやすく、かつ、衣服の生地に対し止着しやすいボタンを提供する。【解決手段】台板部と、その台板部に立設されて衣服のボタン穴に通される脚部と、その脚部の先端に設けられて衣服のボタン穴に掛止される頭部とによりボタン本体が構成されて、その台板部が衣服の生地の表面に当接された状態で止着されるようにする。また、その台板部に糸通し孔が穿設されて縫着により衣服に止着されるようにする。【選択図】        図１
2004173732.tif 000002
【特許請求の範囲】
【請求項１】
台板部と、その台板部に立設されて衣服のボタン穴に通される脚部と、その脚部の先端に設けられて衣服のボタン穴に掛止される頭部とによりボタン本体が構成されて、その台板部が衣服の生地の表面に当接された状態で止着されるように構成されたことを特徴とするボタン。
【請求項２】
台板部に糸通し孔が穿設されて縫着により衣服に止着されるようになした請求項１記載のボタン。
【請求項３】
台板部の外径が頭部の外径より大きくされ、その台板部において頭部より外側へはみ出した部位に糸通し孔が穿設された請求項２記載のボタン。
【請求項４】
衣服の生地の裏面側に当接される基板部と、その基板部に突設されて衣服の生地を貫通する凸部とから成る留め具がボタン本体とセットで備えられるとともに、ボタン本体の裏面側に凹部が形成されて、その凹部に留め具の凸部が挿入されて接合されることにより台板部と基板部とにより衣服の生地を挟んで止着されるようになした請求項１、２又は３記載のボタン。
【発明の詳細な説明】
【０００１】
【発明の属する技術分野】
本発明はボタンに関する。
【０００２】
【従来の技術】
従来のボタンは、ボタン本体の中央部に糸通し孔が穿設されて、縫着により衣服に取り付けられるものが多かった。このようなボタンは、ボタン本体の裏面が衣服の生地の表面に密着した状態となるので、作業服等の厚い生地の場合にボタン本体をボタン穴に通して掛止しにくいという問題があった。
【０００３】
そして、このような問題を解決するために、ボタン本体の裏側に出っ張り部を設けて、その出っ張り部を衣服に対し止着するようになしたボタンも存在するが、その出っ張り部を直に衣服に止着しにくいので、衣服に留め具を取り付けて、その留め具に連結するという面倒な構造になっている。
【０００４】
なお、上記の従来技術は出願人が知っている先行技術であるが、これらの先行技術は文献公知発明に係るものではなく、出願人が知っている先行技術文献はない。
【０００５】
【発明が解決しようとする課題】
本発明は、衣服の生地が厚い場合でもボタン本体をボタン穴に通して掛止しやすく、かつ、衣服の生地に対し止着しやすいボタンの提供を課題とする。
【０００６】
【課題を解決するための手段】
上記課題を解決するために、本発明のボタンは、台板部と、その台板部に立設されて衣服のボタン穴に通される脚部と、その脚部の先端に設けられて衣服のボタン穴に掛止される頭部とによりボタン本体が構成されて、その台板部が衣服の生地の表面に当接された状態で止着されるように構成されたことを特徴とする、という構成にしたものである。
【０００７】
また、本発明のボタンは、台板部に糸通し孔が穿設されて縫着により衣服に止着されるように構成することができる。
【０００８】
また、本発明のボタンは、台板部の外径が頭部の外径より大きくされ、その台板部において頭部より外側へはみ出した部位に糸通し孔が穿設された構成にすることがぶきる。
【０００９】
さらに、本発明のボタンは、衣服の生地の裏面側に当接される基板部と、その基板部に突設されて衣服の生地を貫通する凸部とから成る留め具がボタン本体とセットで備えられるとともに、ボタン本体の裏面側に凹部が形成されて、その凹部に留め具の凸部が挿入されて接合されることにより台板部と基板部により衣服の生地を挟んで止着されるように構成することもできる。
【００１０】
【発明の実施の形態】
以下、図示した実施例に基づき本発明の実施の形態について説明する。まず、ボタン本体４は、台板部１と、その台板部２に立設された脚部２と、その脚部２の先端に設けられた頭部３とによって構成されている。これらは一体に形成することもできるし、又は各部を別々に形成して一体に組み付けることにより構成することもできる。
【００１１】
ボタン本体４の素材は自由であり、合成樹脂、金属、石、骨、竹、角、蹄、貝がら、ガラス、陶器、革などを使用可能である。これらの素材は単独で使用してもよいし、又は他の素材と組み合わせて使用することもできる。
【００１２】
ボタン本体４は、その台板部１を衣服の生地５の表面に当接させた状態で、その衣服の生地５に対し止着される。また、脚部２は衣服のボタン穴に通され、頭部３は衣服のボタン穴に掛止される。
【００１３】
ボタン本体４の台板部１と頭部３の形状は自由であり、円形でも角形でもよい。また、頭部３や台板部１に着色したり、装飾を施したりすることも可能である。また、頭部３に別の装飾部材を組み付けることも可能である。
【００１４】
ボタン本体４は、図１及び図２に示した第１実施例のように、衣服の生地５に対し縫着により止着することができる。その場合は、台板部１に糸通し孔６を穿設する。この糸通し孔６は、台板部１における周方向の複数箇所に設けることができる。例えば、図示した第１実施例のように４箇所に設けることができる。
【００１５】
台板部１に糸通し孔６を穿設する場合は、図示した第１実施例のように、その台板部１の外径を頭部３の外径より大きくすることが好ましい。そして、台板部１において頭部３より外側へはみ出した部位に糸通し孔６を穿設することが好ましい。このようにすれば、ミシン等により縫着する場合に頭部３が邪魔にならないので縫着が容易になるからである。なお、図２において符号７は縫着用の糸を示している。
【００１６】
ボタン本体４は、縫着以外の方法でも衣服の生地５に対し止着することができる。その場合は留め具を使用することになるが、その留め具はボタン本体４とセットで備えるものとする。そして、その留め具はボタン本体４に接合可能な構造とする。
【００１７】
図３及び図４はそれぞれ留め具８を用いた実施例を示したものである。留め具８は基板部９と、その基板部９に突設した凸部１０とにより構成することができる。
【００１８】
留め具８は、その基板部９を衣服の生地５の裏面側に当接させるとともに、その凸部１０を衣服の生地５に貫通させる。そして、衣服の生地５を貫通した凸部１０をボタン本体４に接合させる。
【００１９】
ボタン本体４は、その裏面側に接合用の凹部１１を設けた構造にすることができる。そして、その凹部１１に留め具８の凸部１０を挿入してボタン本体４に対し留め具８を接合させる。このとき、ボタン本体４の台板部１と留め具８の基板部９とにより衣服の生地５を挟んで、ボタン本体４を衣服の生地５に対し止着させる。
【００２０】
留め具８の凸部１０は、図３に示す第２実施例のように、その外周部に歯状の突起１２を設けて、ボタン本体４の凹部１１の内面に形成した歯状の溝部１３にその突起１２を係止させることにより抜け止めすることができる。
【００２１】
また、図４に示す第３実施例のように、留め具８の凸部１０を変形可能な金属製のパイプ状として、その凸部１０をボタン本体４の凹部１１に挿入してカシメることにより、留め具８をボタン本体４に対し接合することも可能である。なお、ボタン本体４が金属製で、その脚部２が中空パイプ状の場合は、その内部に樹脂製の芯１４をインサートすることもできる。
【００２２】
上記のように留め具８を用いてボタン本体４を衣服の生地５に取り付ける場合は、ボタン本体４の台板部１に糸通し孔６を設ける必要性は少ない。しかしながら、この場合も、台板部１に糸通し孔６を設けることは構わない。そのようにすれば、ボタン本体４を留め具８で衣服の生地５に止着し、かつ、縫着により止着して、２重の止着状態とすることができるので、その止着部を強化することができる。また、縫着の糸は飾りとすることもできる。
【００２３】
【発明の効果】
請求項１記載の本発明のボタンは、台板部と頭部の間に脚部を有するので、作業服等の厚い生地でもボタン掛けが極めて容易であり、かつ、台板部を衣服の生地の表面に当接させて安定させることができるので止着作業もやりやすいという効果がある。
また、請求項２記載の本発明のボタンは、台板部に糸通し孔を設けたので、ミシン等によりボタン本体を衣服の生地に能率よく縫着することができる。
また、請求項３記載の本発明のボタンは、ミシン等により縫着する場合に、ボタン本体の頭部が邪魔にならず縫着しやすい。
また、請求項４記載の本発明のボタンは、留め具を用いることにより縫着よりも簡単に取り付けできるので、生産性をアップすることができる。
【図面の簡単な説明】
【図１】第１実施例の斜視図である。
【図２】第１実施例を衣服の生地に縫着により止着した状態の断面図である。
【図３】第２実施例の断面図である。
【図４】第３実施例の断面図である。
【符号の説明】
１  台板部
２  脚部
３  頭部
４  ボタン本体
５  衣服の生地
６  糸通し孔
７  糸
８  留め具
９  基板部
１０  凸部
１１  凹部
１２  突起
１３  溝部
１４  芯
【図１】
2004173732.tif 000003
【図２】
2004173732.tif 000004
【図３】
2004173732.tif 000005
【図４】
2004173732.tif 000006